(57)【特許請求の範囲】
【請求項１】
折り畳まれた状態から、先に略垂直に立てられる一方の相対する側壁と、該側壁に次いで、後から略垂直に立てられるもう一方の相対する側壁とを有する折り畳みコンテナーにおいて、一方の相対する側壁の板状部と係合部材の帯状板部とにより形成された隅部の上端部には、係止フックが形成されているとともに、係止フックの水平板状部と該水平板状部の先端から上方に延在する垂直板状部と帯状板部とにより、上方及び側方が開放された係合凹部が形成されており、また、もう一方の相対する側壁に配置されたロック部材が、上下動可能な操作部と、枢支部において枢支されたロックバーとから構成されており、更に、もう一方の相対する側壁の板状部には、ロック部材の弾性片の先端部が載置される弾性片載置部、及び、ロックバーが当接するてこ支点突部が形成されており、もう一方の相対する側壁に配設されたロック部材を構成するロックバーが、ロック部材の操作部の枢支部から、一方の相対する側壁に形成された係合部材に向かって、下方に傾斜した状態においては、ロックバーが、一方の相対する側壁の係合部材に形成された前記係合凹部に係合されて、もう一方の相対する側壁が、一方の相対する側壁にロックされるように構成されており、また、ロックバーが、略水平状態においては、ロックバーが、一方の相対する側壁の係合部材に形成された前記係合凹部から排出されて、一方の相対する側壁ともう一方の相対する側壁とのロック部材を介してのロック状態が解除されるように構成されていることを特徴とする折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短側壁を立てることにより、箱型に組み立てられ、また、折り畳む際には、底部の上に重なるように、長側壁及び短側壁を折り畳むようにした折り畳みコンテナーが知られており、箱型に組み立てられ状態においては、長側壁或いは短側壁が、底部方向に倒れないように、互いに、ロック部材により、ロックされるように構成されている。
【０００３】
短側壁の上端部付近に配設されたロック部材を構成するロックバーが水平状態においては、ロックバーの先端部が、長側壁の上端部付近に形成されている係合部に係合され、また、ロック部材を構成する操作部を下動させた際には、ロックバーの先端部が上動し、ロックバーの先端部と長側壁に形成されている係合部とのロック状態が解除されて、短側壁を、底部方向に倒すことができるように構成された折り畳みコンテナーが、一例として、特許文献１に開示されている。
【０００４】
また、折り畳みコンテナーが箱型に組み立てられた状態において、最初に立てられる長側壁が、外側に傾動しないように、長側壁に形成された嵌合孔に、後から立てられる短側壁に形成された嵌合突部を嵌合させるように構成された折り畳みコンテナーが、一例として、特許文献２に開示されている。
【０００５】
【特許文献１】特開２００３−４０２６３号公報
【特許文献２】特開２００２−５３１３０号公報
【発明の開示】
【発明が解決しようとする課題】
【０００６】
上述した従来の折り畳みコンテナーにおいては、短側壁の上端部付近に配設されているロックバーの先端部と長側壁の上端部付近に形成されている係合部とのロック状態を解除する際には、ロックバーの先端部を上動させる必要があり、そのために、長側壁の上端部には、ロックバーの先端部の上動が阻止されないような所定のスペースを確保する必要があり、そのために、長側壁の上端部に、嵌合孔を形成することができず、従って、長側壁の上端部と短側壁の上端部との係合状態を実現することができないために、長側壁の上端部が、外側に傾動するという問題があった。
【０００７】
本発明の目的は、上述した従来の折り畳みコンテナーが有する課題を解決することにある。
【課題を解決するための手段】
【０００８】
本発明は、上述した目的を達成するために、折り畳まれた状態から、先に略垂直に立てられる一方の相対する側壁と、該側壁に次いで、後から略垂直に立てられるもう一方の相対する側壁とを有する折り畳みコンテナーにおいて、一方の相対する側壁の板状部と係合部材の帯状板部とにより形成された隅部の上端部には、係止フックが形成されているとともに、係止フックの水平板状部と該水平板状部の先端から上方に延在する垂直板状部と帯状板部とにより、上方及び側方が開放された係合凹部が形成されており、また、もう一方の相対する側壁に配置されたロック部材が、上下動可能な操作部と、枢支部において枢支されたロックバーとから構成されており、更に、もう一方の相対する側壁の板状部には、ロック部材の弾性片の先端部が載置される弾性片載置部、及び、ロックバーが当接するてこ支点突部が形成されており、もう一方の相対する側壁に配設されたロック部材を構成するロックバーが、ロック部材の操作部の枢支部から、一方の相対する側壁に形成された係合部材に向かって、下方に傾斜した状態においては、ロックバーが、一方の相対する側壁の係合部材に形成された前記係合凹部に係合されて、もう一方の相対する側壁が、一方の相対する側壁にロックされるように構成されており、また、ロックバーが、略水平状態においては、ロックバーが、一方の相対する側壁の係合部材に形成された前記係合凹部から排出されて、一方の相対する側壁ともう一方の相対する側壁とのロック部材を介してのロック状態が解除されるように構成したものである。
【発明の効果】
【０００９】
折り畳まれた状態から、先に略垂直に立てられる一方の相対する側壁と、該側壁に次いで、後から略垂直に立てられるもう一方の相対する側壁とを有する折り畳みコンテナーにおいて、前記後から立てられる側壁に組み付けられた操作部とロックバーとからなるロック部材の前記ロックバーが、前記操作部の枢支部から前記後から立てられる側壁に形成された係合部材に向かって、下方に傾斜した状態においては、前記後から立てられる側壁が、前記ロック部材を介して、前記先に立てられる側壁にロックされるように構成されているとともに、前記操作部を下動させて、前記ロックバーを略水平状態にした際には、前記後から立てられる側壁と前記先に立てられる側壁との前記ロック部材を介したロック状態を解除されるように構成したので、後から立てられる側壁の上端部に、上端部嵌合部を形成することができるようなスペースを形成することができ、従って、先に立てられる側壁の上端部の後から立てられる側壁からの離反を防止することができる。
【実施例】
【００１０】
以下に、本発明の実施例について説明するが、本発明の趣旨を越えない限り、何ら、本実施例に限定されるものではない。
【００１１】
本発明の折り畳みコンテナーは、図１に示されているように、底部１と、底部１の相対する長辺側土手部１ａにヒンジ連結された長側壁２と、底部１の相対する短辺側土手部１ｂにヒンジ連結された短側壁３とから構成されており、本実施例においては、長辺側土手部１ａの高さは、短辺側土手部１ｂの高さより高く構成されている。
【００１２】
図１に示されている箱型に組み立てられた状態から、先ず最初に、短側壁３を、底部１に重なるように倒し、次いで、長側壁２を、底部１に重ねられた短側壁３に重なるように倒すことにより、折り畳みコンテナーを、高さの低いコンパクトに折り畳むことができるように構成されており、このようにして折り畳まれた状態から、長側壁２を、略垂直に立て、次いで、短側壁３を略垂直に立てることにより、図１に示されているように、箱型に組み立てることができるように構成されている。
【００１３】
次に、図１〜図３を用いて、長側壁２について説明する。
【００１４】
長側壁２は、横長の略長方形状の板状部２ａを有しており、長側壁２の両垂直端には、板状部２ａに略垂直で、且つ、板状部２ａの内面（折り畳みコンテナーを箱型に組み立てた際に、箱型に組み立てられた折り畳みコンテナーの内側に位置する面）２ａ１に対して、略垂直な縦長の長側壁側係合部材２ｂが形成されている。
【００１５】
長側壁側係合部材２ｂを形成する縦長の帯状板部２ｂ’の上端に形成された上端ブロック部２ｂ１には、上端ブロック部２ｂ１の先端から、板状部２ａに略平行に、垂直板状部２ｂ２が垂下されており、また、垂直板状部２ｂ２の下端には、垂直板状部２ｂ２の下端と板状部２ａの内面２ａ１とを連結する水平板状部２ｂ３が形成されている。そして、長側壁側係合部材２ｂの上端部には、上端ブロック部２ｂ１の下面と垂直板状部２ｂ２と水平板状部２ｂ３と板状部２ａの内面２ａ１とにより囲まれた、上端部嵌合孔２ｃ１が形成されている。
【００１６】
また、上端部嵌合孔２ｃ１を形成する水平板状部２ｂ３の直下に位置する、板状部２ａの内面２ａ１と長側壁側係合部材２ｂの帯状板部２ｂ’とにより形成される隅部には、水平板状部２ｄ１と該水平板状部２ｄ１の先端から上方に延在する垂直板状部２ｄ２とからなる、上方と側部が開放された略Ｌ状の係止フック２ｄが形成されている。そして、係止フック２ｄの水平板状部２ｄ１と垂直板状部２ｄ２と帯状板部２ｂ’とにより、上方及び側方が開放された係合凹部２ｂ”が形成されることになる。
【００１７】
更に、板状部２ａの内面２ａ１と長側壁側係合部材２ｂの帯状板部２ｂ’とにより形成される隅部には、上部水平板状部２ｅ１と、下部水平板状部２ｅ２と、上部水平板状部２ｅ１と下部水平板状部２ｅ２の先端を連結する連結垂直板状部２ｅ３とからなる略コの字状の枠部２ｅが形成されており、このような略コの字状の枠部２ｅを形成することにより、長側壁側係合部材２ｂには、略コの字状の枠部２ｅと板状部２ａの内面２ａ１とにより囲まれた嵌合孔が形成されている。このような、嵌合孔は、長側壁側係合部材２ｂの中程と下端部付近に形成されており、長側壁側係合部材２ｂの中程に形成されている嵌合孔を、中央部嵌合孔と称し、符号２ｃ２を付し、また、長側壁側係合部材２ｂの下端部付近に形成されている嵌合孔を、下部嵌合孔と称し、符号２ｃ３を付す。このような、嵌合孔は、１個のみ、或いは、３個以上、形成することもできる。
【００１８】
次に、図１、図４及び図５を用いて、短側壁３について説明する。
【００１９】
短側壁３は、略方形状の板状部３ａを有しており、板状部３ａの上端には、板状部３ａの外面（折り畳みコンテナーを箱型に組み立てた際に、折り畳みコンテナーの外側に位置する面）３ａ１に対して略垂直方向に延在する上端水平リブ３ｂ及び下端水平リブ３ｃが、それぞれ形成されており、また、上端水平リブ３ｂの両端部と下端水平リブ３ｃの両端部とは、側端リブ３ｄにより連結されている。
【００２０】
短側壁３には、板状部３ａの上部領域或いは全体を、側端リブ３ｄを越えて外側に延在することにより、縦長の短側壁側係合部材３ｅが形成されている。
【００２１】
短側壁側係合部材３ｅは、縦長の帯状板部３ｅ’を有しており、また、側端リブ３ｄの外壁面３ｄ１の上端部付近には、略水平な上端部嵌合片３ｆが形成されているとともに、上端部嵌合片３ｆの直下には、上部水平片３ｇが形成されている。そして、上端部嵌合片３ｆと側端リブ３ｄの外壁面３ｄ１との間には、スリット３ｆ１が形成されている。この上端部嵌合片３ｆは、折り畳みコンテナーが箱型に組み立てられた際に、長側壁２の長側壁側係合部材２ｂに形成された上端部嵌合孔２ｃ１に挿入されるように構成されている。
【００２２】
また、短側壁側係合部材３ｅを構成する帯状板部３ｅ’と側端リブ３ｄの外壁面３ｄ１とにより形成される隅部には、上部水平板状部３ｈ１と、下部水平板状部３ｈ２と、上部水平板状部３ｈ１と下部水平板状部３ｈ２の先端を連結する連結垂直板状部３ｈ３とからなる嵌合部３ｈが形成されており、上部水平板状部３ｈ１と側端リブ３ｄの外壁面３ｄ１との間及び下部水平板状部３ｈ２と側端リブ３ｄの外壁面３ｄ１との間には、それぞれ、スリット３ｈ４が形成されている。このような、嵌合部は、長側壁側係合部材２ｂに形成された中央部嵌合孔２ｃ２と下部嵌合孔２ｃ３に対応して、短側壁側係合部材３ｅの中程と下端部付近に形成されている。短側壁側係合部材３ｅの中程に形成されている嵌合部を、中央部嵌合部と称し、符号３ｈ’を付し、また、短側壁側係合部材３ｅの下端部付近に形成されている嵌合部を、下部嵌合部と称し、符号３ｈ”を付す。なお、上述した上端部嵌合片３ｆを、中央部嵌合部３ｈ’や下部嵌合部３ｈ”と同様に、上部水平板状部と、下部水平板状部と、上部水平板状部と下部水平板状部との先端を連結する連結垂直板状部とにより構成することもできる。
【００２３】
折り畳みコンテナーが箱型に組み立てられた際には、中央部嵌合部３ｈ’が、長側壁２の長側壁側係合部材２ｂに形成された中央部嵌合孔２ｃ２に挿入され、また、下部嵌合部３ｈ”が、長側壁２の長側壁側係合部材２ｂに形成された下部嵌合孔２ｃ３に挿入されるように構成されている。
【００２４】
更に、中央部嵌合部３ｈ’の真上には、上部水平片３ｇと同様の下部水平片３ｉが形成されており、上部水平片３ｇの先端と下部水平片３ｉの先端とは、垂直板状部３ｊにより連結されているとともに、垂直板状部３ｊには、凹部３ｋが形成されている。なお、３ｍは、下部嵌合部３ｈ”の真下付近に位置する側端リブ３ｄを外側に膨出させることにより形成された補助嵌合部であり、上部水平板状部３ｍ１と、下部水平板状部３ｍ２と、上部水平板状部３ｍ１と下部水平板状部３ｍ２の先端を連結する連結垂直板状部３ｍ３とから構成されている。補助嵌合部３ｍは、図１に示されているように、長側壁２が、略垂直に立てられた際に、底部１の長辺側土手部１ａと長側壁２の長側壁側係合部材２ｂの下端との間に形成された嵌合凹部Ａ１に、嵌合されるように構成されている。
【００２５】
次に、図４の更なる拡大図である図５を用いて、短側壁３に形成された、後述するロック部材が装着されるロック部材装着空間部Ａ２について説明する。
【００２６】
上端水平リブ３ｂの直下には、上端水平リブ３ｂと同様の相対する側端リブ３ｄを連結する上端部水平リブ３ｎが形成されており、また、上端部水平リブ３ｎの下方には、同じく、相対する側端リブ３ｄを連結する上部水平リブ３ｐが形成されている。
【００２７】
上端部水平リブ３ｎと上部水平リブ３ｐとの間に位置する側端リブ３ｄには、後述するロック部材のロックバーが上下動可能なような高さを有する縦長の長孔３ｄ２が穿設されている。また、側端リブ３ｄ付近には、上端部水平リブ３ｎと上部水平リブ３ｐを連結するとともに、短側壁３の外面３ａ１にも連接された側端リブ側垂直リブ３ｑが形成されており、側端リブ側垂直リブ３ｑにも、後述するロック部材のロックバーが上下動可能なような高さを有する縦長の長孔３ｑ１が穿設されている。
【００２８】
また、側端リブ側垂直リブ３ｑの短側壁３の中央部寄りには、上端部水平リブ３ｎと上部水平リブ３ｐを連結するとともに、短側壁３の外面３ａ１にも連接された中央寄り垂直リブ３ｒが形成されており、中央寄り垂直リブ３ｒにも、後述するロック部材のロックバーが上下動可能なような高さを有する縦長の長孔３ｒ１が穿設されている。
【００２９】
更に、中央寄り垂直リブ３ｒの短側壁３の中央部寄りには、中央寄り垂直リブ３ｒに隣接して、上端部水平リブ３ｎと上部水平リブ３ｐを連結するとともに、短側壁３の外面３ａ１との間に、後述するロック部材のロックバーが挿入可能な間隙３ｓ１を有する垂直ガイドリブ３ｓが形成されている。
【００３０】
更にまた、相対する垂直ガイドリブ３ｓ間に位置するとともに、上端部水平リブ３ｎと上部水平リブ３ｐとの間に位置する短側壁３の外面３ａ１には、上端部水平リブ３ｎから垂下された垂直部３ｔ１と該垂直部３ｔ１の下端から、側端リブ３ｄ方向に延在する水平部３ｔ２とからなる、後述するロック部材に形成された弾性片の先端部が載置される弾性片載置部３ｔが、一対に形成されている。一対の弾性片載置部３ｔの水平部３ｔ２は、互いに、離反する方向に、垂直部３ｔ１の下端から、側端リブ３ｄ方向に延在するように形成されている。
【００３１】
なお更に、側端リブ側垂直リブ３ｑと中央寄り垂直リブ３ｒとの間に位置する板状部３ａの外面３ａ１には、側端リブ側垂直リブ３ｑの長孔３ｑ１の下部付近及び中央寄り垂直リブ３ｒの長孔３ｒ１の下部付近に位置するように、てこ支点突部３ｕが突設されている。なお、３ｖは、上部水平リブ３ｐの中央部上面に形成された板状の凸条である。
【００３２】
相対する一対の側端リブ３ｄと上端部水平リブ３ｎと上部水平リブ３ｐと短側壁３の外面３ａ１とにより囲まれた領域が、後述するロック部材が装着されるロック部材装着空間部Ａ２である。
【００３３】
次に、図６〜図９を用いて、操作部Ｈ１’とロックバーＨ１”とからなるロック部材Ｈ１について説明する。
【００３４】
先ず最初に、図６〜図８を用いて、操作部Ｈ１’について説明する。
【００３５】
操作部Ｈ１’は、横長の板状基部ｈ１を有しており、板状基部ｈ１の中央部を、板状基部ｈ１の表面（ロック部材Ｈ１を、短側壁３に装着した際に、外側に位置する面）ｈ１ａから、板状基部ｈ１の裏面（ロック部材Ｈ１を、短側壁３に装着した際に、短側壁３の外面３ａ１と対向する面）ｈ１ｂ方向に膨出させることにより、作業者の指が挿入可能な箱状の操作凹部ｈ２が形成されており、操作凹部ｈ２は、奥板ｈ２ａと相対する側板ｈ２ｂと天板ｈ２ｃと底板ｈ２ｄとから構成されている。
【００３６】
板状基部ｈ１の下端辺に沿って、板状基部ｈ１の裏面ｈ１ｂに略垂直な、帯状の底部リブｈ３が形成されており、また、板状基部ｈ１の裏面ｈ１ｂの両垂直端付近には、底部リブｈ３に立設された垂直リブｈ４が形成されており、垂直リブｈ４の上端には、板状基部ｈ１の上端辺に沿って、板状基部ｈ１の垂直端方向に延在する上部水平リブｈ５が形成されている。
【００３７】
底部リブｈ３と垂直リブｈ４と上部水平リブｈ５とにより囲まれた板状基部ｈ１の裏面ｈ１ｂの上部には、嵌合円筒部ｈ６が突設されているとともに、垂直リブｈ４の操作凹部ｈ２側に位置する垂直面ｈ４ａには、操作凹部ｈ２に向かって、下方に傾斜した弾性片ｈ７が形成されている。
【００３８】
次に、図６及び図９を用いて、ロックバーＨ１”について説明する。
【００３９】
ロックバーＨ１”は、横長のロックバー本体ｈ１０を有しており、ロックバー本体ｈ１０は、横長の帯状の前壁ｈ１０ａと、前壁ｈ１０ａの上端に形成された上端水平リブｈ１０ｂと、前壁ｈ１０ａの下端に形成された下端水平リブｈ１０ｃと、上端水平リブｈ１０ｂと下端水平リブｈ１０ｃの一方の垂直端を連結する半円筒状の弧状端側部ｈ１０ｄとを有している。また、弧状端側部ｈ１０ｄと反対側に位置する前壁ｈ１０ａの先端部には、楔状係合部ｈ１１が形成されており、楔状係合部ｈ１１は、下端水平リブｈ１０ｃに連接されているとともに、上方に傾斜した下部傾斜リブｈ１１ａと、上端水平リブｈ１０ｂに連接されているとともに、下方に傾斜した上部傾斜リブｈ１１ｂとを有している。
【００４０】
ロックバー本体ｈ１０には、弧状端側部ｈ１０ｄから楔状係合部ｈ１１方向に延在する薄肉部ｈ１２が形成されており、薄肉部ｈ１２の先端部には、円柱状の嵌合突部ｈ１３が突設されており、嵌合突部ｈ１３の先端面は、ロックバー本体ｈ１０の肉厚部ｈ１０’を越えて、外側に突出しないように構成されている。
【００４１】
次に、図１０及び図１１を用いて、短側壁３へのロック部材Ｈ１の組み付けについて説明する。
【００４２】
先ず最初に、操作部Ｈ１’の横長の板状基部ｈ１の両端が、短側壁３のロック部材装着空間部Ａ２に形成された相対する垂直ガイドリブ３ｓに近接して位置するとともに、短側壁３に形成された弾性片載置部３ｔの水平部３ｔ２に、操作部Ｈ１’に形成された弾性片ｈ７の先端部が載置されるように、且つ、ロック部材Ｈ１の操作部Ｈ１’が、短側壁３の板状部３ａに対向するように、ロック部材Ｈ１の操作部Ｈ１’を、短側壁３のロック部材装着空間部Ａ２内に配置する。この状態においては、ロック部材Ｈ１の操作部Ｈ１’の上面と短側壁３の上端部水平リブ３ｎとは、互いに、当接或いは接近して位置するように構成されているとともに、ロック部材Ｈ１の操作部Ｈ１’の下面と短側壁３の上部水平リブ３ｐとの間には、所定の間隙が形成されるように構成されている。また、この状態においては、短側壁３の側端リブ３ｄに穿設された長孔３ｄ２と、側端リブ側垂直リブ３ｑに穿設された長孔３ｑ１と、短側壁３の中央寄り垂直リブ３ｒに穿設された長孔３ｒ１とが、側端リブ３ｄ側から見て、互いに、略完全に重複するように構成されており、あたかも、１つのトンネルとなるように構成されている。
【００４３】
次いで、短側壁３の相対する側端リブ３ｄ側から、ロックバーＨ１”を、水平移動させることにより、弧状端側部ｈ１０ｄを先頭にして、順次、短側壁３の側端リブ３ｄに穿設された長孔３ｄ２、側端リブ側垂直リブ３ｑに穿設された長孔３ｑ１、短側壁３の中央寄り垂直リブ３ｒに穿設された長孔３ｒ１及び垂直ガイドリブ３ｓの間隙３ｓ１に挿入するとともに、ロックバーＨ１”のロックバー本体ｈ１０に突設された嵌合突部ｈ１３を、操作部Ｈ１’の板状基部ｈ１に突設された嵌合円筒部ｈ６に嵌合させることにより、短側壁３に、操作部Ｈ１’とロックバーＨ１”とからなるロック部材Ｈ１を組み付ける。
【００４４】
上述したようにして、短側壁３に、操作部Ｈ１’とロックバーＨ１”とからなるロック部材Ｈ１が組み付けられた際には、ロックバーＨ１”に形成された嵌合突部ｈ１３と該嵌合突部ｈ１３が嵌合された操作部Ｈ１’に形成された嵌合円筒部ｈ６とからなるロックバーＨ１”の枢支部Ｃ１が、操作部Ｈ１’の上部水平リブｈ５付近に、換言すれば、短側壁３の上端部水平リブ３ｎ付近に位置するとともに、ロックバーＨ１”の楔状係合部ｈ１１を構成する下部傾斜リブｈ１１ａが、短側壁３の短側壁側係合部材３ｅに形成された下部水平片３ｉと略平行に位置するように配置されており、且つ、ロックバーＨ１”を構成するロックバー本体ｈ１０の下端水平リブｈ１０ｃが、側端リブ側垂直リブ３ｑと中央寄り垂直リブ３ｒとの間に位置する板状部３ａの外面３ａ１に突設されたてこ支点突部３ｕに、当接或いは近接して位置するように構成されている。このように、短側壁３に、操作部Ｈ１’とロックバーＨ１”とからなるロック部材Ｈ１が組み付けられた際には、ロックバーＨ１”が、枢支部Ｃ１から短側壁側係合部材３ｅに向かって、下方に傾斜した状態になるように構成されている。
【００４５】
上述したように、短側壁３に組み付けられたロック部材Ｈ１を構成する操作部Ｈ１’の操作凹部ｈ２に指を入れて、操作凹部ｈ２を構成する底板ｈ２ｄに指を押し当てて、操作部Ｈ１’を押し下げると、図１２に示されているように、操作部Ｈ１’は、短側壁３に形成された相対する垂直ガイドリブ３ｓに沿って、下動するとともに、弾性片ｈ７は、略水平状態に弾性変形する。
【００４６】
また、操作部Ｈ１’の下動により、ロックバーＨ１”に形成された嵌合突部ｈ１３と該嵌合突部ｈ１３が嵌合された操作部Ｈ１’に形成された嵌合円筒部ｈ６とからなる枢支部Ｃ１も下動することになり、この枢支部Ｃ１の下動により、ロックバーＨ１”を構成するロックバー本体ｈ１０の下端水平リブｈ１０ｃが、短側壁３の板状部３ａに突設されたてこ支点突部３ｕに当接し、更に、操作部Ｈ１’を下動させると、図１１に示されているように、短側壁側係合部材３ｅに向かって、下方に傾斜した状態のロックバーＨ１”が、図１２に示されているように、略水平状態となるように構成されている。
【００４７】
次に、図１３〜図１５を用いて、長側壁２と短側壁３とのロック状態について説明する。
【００４８】
上述したように、折り畳まれた状態の折り畳みコンテナーを、箱型に組み立てるには、先ず最初に、長側壁２を、垂直方向に回動させて、図１３に示されているように、略垂直に立てる。
【００４９】
次いで、底部１に重なるように倒されている短側壁３を、垂直方向に回動させることになるが、短側壁３の垂直方向への回動の際には、ロック部材Ｈ１を構成する操作部Ｈ１’の操作凹部ｈ２に指を入れて、操作部Ｈ１’を下動させ、上述したように、短側壁側係合部材３ｅに向かって、下方に傾斜した状態のロックバーＨ１”を略水平状態にする。この状態で、短側壁３を、長側壁２に接近させると、短側壁３に配設されたロック部材Ｈ１を構成するロックバーＨ１”の楔状係合部ｈ１１が、長側壁２の長側壁側係合部材２ｂに形成された係止フック２ｄの垂直板状部２ｄ２の上端より、上方に位置するように構成されているので、図１４に示されているように、ロックバーＨ１”の楔状係合部ｈ１１が、長側壁２の長側壁側係合部材２ｂに形成された係止フック２ｄの垂直板状部２ｄ２に当接することなく、短側壁３の短側壁側係合部材３ｅと長側壁２の長側壁側係合部材２ｂとが係合することになる。また、短側壁３の短側壁側係合部材３ｅと長側壁２の長側壁側係合部材２ｂとが係合した際には、短側壁３の短側壁側係合部材３ｅに形成された上端部嵌合片３ｆ、中央部嵌合部３ｈ’及び下部嵌合部３ｈ”が、長側壁２の長側壁側係合部材２ｂに形成された上端部嵌合孔２ｃ１、中央部嵌合孔２ｃ２及び下部嵌合孔２ｃ３に、それぞれ嵌合されように構成されている。また、操作部Ｈ１’を下動させた際には、短側壁３に形成された弾性片載置部３ｔの水平部３ｔ２に、その先端部が載置されている、操作部Ｈ１’に形成された弾性片ｈ７が、図１１に示されている、操作凹部ｈ２に向かって下方に傾斜した状態から、図１２に示されているように、略水平状態となるように構成されている。
【００５０】
次いで、操作部Ｈ１’の操作凹部ｈ２を構成する底板ｈ２ｄに押し付けられていた指を、底板ｈ２ｄから離すと、略水平状態の弾性片ｈ７が、その弾性復元力により、図１１に示されている、操作凹部ｈ２に向かって下方に傾斜した元の状態に戻ることになり、従って、ロックバーＨ１”の楔状係合部ｈ１１が、図１５に示されているように、長側壁２の長側壁側係合部材２ｂに形成された係止フック２ｄの水平板状部２ｄ１と垂直板状部２ｄ２と長側壁側係合部材２ｂの帯状板部２ｂ’とにより形成され係合凹部２ｂ”に挿入され、短側壁３が、ロック部材Ｈ１を、介して、長側壁２にロックされることになる。この状態から、短側壁３が、底部１方向に回動しようとしても、短側壁３に配設されたロックバーＨ１”の楔状係合部ｈ１１が、長側壁２の長側壁側係合部材２ｂに形成された係止フック２ｄの垂直板状部２ｄ２に当接し、短側壁３の底部１方向の傾動が阻止されることになる。
【００５１】
また、箱型に組み立てられた状態から、折り畳みコンテナーを折り畳むには、操作部Ｈ１’を下動させて、ロックバーＨ１”を、略水平状態にすることにより、図１４に示されているように、ロックバーＨ１”の楔状係合部ｈ１１を、長側壁２の長側壁側係合部材２ｂに形成された係合凹部２ｂ”から排出させて、長側壁２に形成された長側壁側係合部材２ｂの係止フック２ｄと短側壁３に配設されたロック部材Ｈ１のロックバーＨ１”とのロック状態を解除し、その後、短側壁３を、底部１方向に倒して、底部１に重ね、その後、長側壁２を底部１方向に倒して、先に倒された水平状態の短側壁３に、長側壁２を重ねることにより、折り畳みコンテナーが折り畳まれることになる。
【００５２】
上述したように、短側壁３に配設されたロック部材Ｈ１を構成するロックバーＨ１”が、操作部Ｈ１’の枢支部Ｃ１から短側壁側係合部材３ｅに向かって、下方に傾斜した状態においては、ロックバーＨ１”の楔状係合部ｈ１１が、長側壁２の長側壁側係合部材２ｂに形成された係合凹部２ｂ”に係合されて、短側壁３が、ロック部材Ｈ１を介して、長側壁２にロックされており、また、ロック部材Ｈ１を構成する操作部Ｈ１’を下動させて、ロックバーＨ１”を略水平状態にして、ロックバーＨ１”の楔状係合部ｈ１１を、長側壁２の長側壁側係合部材２ｂに形成された係合凹部２ｂ”から排出させることにより、短側壁３と長側壁２とのロック部材Ｈ１を介したロック状態を解除することができるように構成したので、短側壁３の上端部に、上端部嵌合片３ｆを形成することができるようなスペースを形成することができ、従って、長側壁の上端部が、外側に傾動するようなことを防止することができる。
【００５３】
特に、箱型に組み立てられた折り畳みコンテナーの４つの角部に、上に位置する折り畳みコンテナーの底部裏面の４つの角部に形成された嵌合突部が嵌合可能な凹部を有する場合には、更に、短側壁３の上端部のスペースが少ないので、短側壁３に配設されたロック部材Ｈ１を構成するロックバーＨ１”が、操作部Ｈ１’の枢支部Ｃ１から短側壁側係合部材３ｅに向かって、下方に傾斜した状態において、ロック状態とすることにより、折り畳みコンテナーの４つの角部に凹部を有する折り畳みコンテナーにおいても、短側壁３の上端部に、上端部嵌合片３ｆを形成することができる。
【００５４】
また、ロックバーＨ１”の先端部を、楔状係合部ｈ１１とし、楔状係合部ｈ１１には、上方に傾斜した下部傾斜リブｈ１１ａを形成したので、ロックバーＨ１”が、下方に傾斜したロック状態においては、ロックバーＨ１”の下部傾斜リブｈ１１ａが、長側壁２の長側壁側係合部材２ｂに形成された係合凹部２ｂ”を構成する係止フック２ｄの水平板状部２ｄ１と面接触するように構成されているので、係合凹部２ｂ”内に位置するロックバーＨ１”の先端部の領域が増大し、従って、ロックバーＨ１”が、不用意に、係合凹部２ｂ”から抜け出るようなことを防止することができる。
【００５５】
更に、ロックバーＨ１”の先端部を、楔状係合部ｈ１１としたので、長側壁２の長側壁側係合部材２ｂに形成された係合凹部２ｂ”を構成する係止フック２ｄの垂直板状部２ｄ２の高さを高くする必要がないので、ロック解除の操作性が変わることなく、ロック解除ストロークを維持することができる。
【図面の簡単な説明】
【００５６】
【図１】図１は、本発明の折り畳みコンテナーが箱型に組み立てられた状態の斜視図である。
【図２】図２は、本発明の折り畳みコンテナーを構成する長側壁の部分斜視図である。
【図３】図３は、本発明の折り畳みコンテナーを構成する長側壁の部分拡大斜視図である。
【図４】図４は、本発明の折り畳みコンテナーを構成する短側壁の部分斜視図でる。
【図５】図５は、本発明の折り畳みコンテナーを構成する短側壁の部分拡大斜視図である。
【図６】図６は、本発明の折り畳みコンテナーのロック部材の分解斜視図である。
【図７】図７は、本発明の折り畳みコンテナーのロック部材を構成する操作部の斜視図である。
【図８】図８は、同じく、本発明の折り畳みコンテナーのロック部材を構成する操作部の斜視図である。
【図９】図９は、本発明の折り畳みコンテナーのロック部材を構成するロックバーの斜視図である。
【図１０】図１０は、本発明の折り畳みコンテナーに、ロック部材が配設された状態の分解斜視図である。
【図１１】図１１は、本発明の折り畳みコンテナーの短側壁に、ロック部材が配設された状態の垂直断面を含む部分斜視図である。
【図１２】図１２は、同じく、本発明の折り畳みコンテナーの短側壁に、ロック部材が配設された状態の垂直断面を含む部分斜視図である。
【図１３】図１３は、本発明の折り畳みコンテナーの組み立て途中或いは折り畳み途中の斜視図である。
【図１４】図１４は、本発明の折り畳みコンテナーの長側壁と短側壁とが係合された状態の部分拡大斜視図である。
【図１５】図１５は、同じく、本発明の折り畳みコンテナーの長側壁と短側壁とが係合された状態の部分拡大斜視図である。
【符号の説明】
【００５７】
Ａ２・・・・・・・・・・ロック部材装着空間部
Ｈ１・・・・・・・・・・ロック部材
Ｈ１’・・・・・・・・・操作部
Ｈ１”・・・・・・・・・ロックバー
１・・・・・・・・・・・底部
２・・・・・・・・・・・長側壁
２ｂ・・・・・・・・・・長側壁側係合部材
３・・・・・・・・・・・短側壁
３ｅ・・・・・・・・・・短側壁側係合部材
【図１】
0005368729.tif 000002
【図２】
0005368729.tif 000003
【図３】
0005368729.tif 000004
【図４】
0005368729.tif 000005
【図５】
0005368729.tif 000006
【図６】
0005368729.tif 000007
【図７】
0005368729.tif 000008
【図８】
0005368729.tif 000009
【図９】
0005368729.tif 000010
【図１０】
0005368729.tif 000011
【図１１】
0005368729.tif 000012
【図１２】
0005368729.tif 000013
【図１３】
0005368729.tif 000014
【図１４】
0005368729.tif 000015
【図１５】
0005368729.tif 000016